(57)【要約】【課題】  十分な音量を発生することができる圧電素子装置を有するカメラを提供すること。【解決手段】  カメラの筐体と、前記筐体内に配設された圧電素子装置２３と、前記筐体内を第１の空間４１と第２の空間１５に仕切る仕切り壁３とを有し、前記圧電素子装置２３は、前記仕切り壁３に取り付けられ、前記仕切り壁３に前記第１の空間４１と前記第２の空間１５とを結ぶ貫通孔１７ｂが設けられているカメラ１。【選択図】  図１
2005227599.tif 000002
【特許請求の範囲】
【請求項１】
カメラの筐体と、
前記筐体内に配設された圧電素子装置と、
前記筐体内を第１の空間と第２の空間に仕切る仕切り壁とを有し、
前記圧電素子装置は、前記仕切り壁に取り付けられ、
前記仕切り壁に前記第１の空間と前記第２の空間とを結ぶ貫通孔が設けられていることを特徴とするカメラ。
【請求項２】
前記貫通孔は前記圧電素子装置の取り付け面に設けられていることを特徴とする請求項１に記載のカメラ。
【請求項３】
前記取り付け面は、前記圧電素子装置の取り付け部であることを特徴とする請求項２に記載のカメラ。
【請求項４】
前記圧電素子装置は、前記第１の空間側の前記仕切り壁に設けられ、
前記第２の空間は、前記カメラのパトローネ室であることを特徴とする請求項１または２または３に記載のカメラ。
【請求項５】
前記圧電素子装置は、前記第１の空間側の前記仕切り壁に設けられ、
前記第２の空間は、前記カメラのスプール室であることを特徴とする請求項１または２または３に記載のカメラ。
【発明の詳細な説明】
【技術分野】
【０００１】
本発明は、カメラに関し、特に撮影者に告知音を発生する圧電素子装置を有するカメラに関する。
【背景技術】
【０００２】
近年、カメラには撮影者に撮影情報にかかわる告知を行うために、カメラ本体内部にブザー音等を発生する音響素子装置を有するカメラが一般的になっている。このブザー音は、例えば、オートフォーカスカメラのフォーカシング動作に於いて、撮影レンズが被写体に合焦したことを知らせたり、カメラの異常状態を撮影者に告知したりするなどの重要な機能として用いられている（例えば、特許文献１参照。）。
【０００３】
また、このブザー音を発生する手段として、圧電素子装置を用いたものが提案されている（例えば、特許文献２参照。）。
【特許文献１】特開２００１−５９９８７号公報
【特許文献２】特開平９−２６１７０６号公報
【発明の開示】
【発明が解決しようとする課題】
【０００４】
しかしながら、圧電素子装置はカメラの内部に配置されているので、圧電素子装置から外部に漏れ聞こえる音量が、屋外などの雑踏での使用下では充分な音量とは言えなかった。また、この圧電素子装置は、外観カバー内部に接近させて配置し、対面する外観カバー面に音を通す穴を複数設け、必要な音量を確保しているため、防滴・防塵性能が不十分となることや、遮光性能が悪化するなどの問題を有していた。
【０００５】
本発明は、上記問題に鑑みて行われたものであり、十分な音量を発生することができる圧電素子装置を有するカメラを提供することを目的としている。
【課題を解決するための手段】
【０００６】
上記目的を達成するために、本発明は、カメラの筐体と、前記筐体内に配設された圧電素子装置と、前記筐体内を第１の空間と第２の空間に仕切る仕切り壁とを有し、前記圧電素子装置は、前記仕切り壁に取り付けられ、前記仕切り壁に前記第１の空間と前記第２の空間とを結ぶ貫通孔が設けられていることを特徴とするカメラを提供する。
【０００７】
また、本発明にかかるカメラでは、前記貫通孔は前記圧電素子装置の取り付け面に設けられていることが好ましい。
【０００８】
また、本発明にかかるカメラでは、前記取り付け面は、前記圧電素子装置の取り付け部であることが好ましい。
【０００９】
また、本発明にかかるカメラでは、前記圧電素子装置は、前記第１の空間側の前記仕切り壁に設けられ、前記第２の空間は、前記カメラのパトローネ室であることが好ましい。
【００１０】
また、本発明にかかるカメラでは、前記圧電素子装置は、前記第１の空間側の前記仕切り壁に設けられ、前記第２の空間は、前記カメラのスプール室であることが好ましい。
【発明の効果】
【００１１】
本発明によれば、十分な音量を発生することができる圧電素子装置を有するカメラを提供することが可能となる。
【発明を実施するための最良の形態】
【００１２】
以下、本発明の実施の形態に関し図面を参照しつつ説明する。
【００１３】
図１は、本発明の第１実施の形態にかかるカメラ本体の部分断面図である。図２は、第１実施の形態にかかるボディ本体図である。図３は、本発明の第２実施の形態にかかるボディ本体図である。
【００１４】
（第１実施の形態）
図１、図２において、カメラ本体１は、ボディ本体３を覆う上カバー５、前カバー７、底カバー９、及び開閉可能な裏蓋１１がボディ本体３に固定されて構成されている。ボディ本体３は、中央部に不図示のフィルムへの露光領域を規制する開口部１３と、開口部１３の両側にパトローネ室１５を形成するパトローネ室壁部分１７と、スプール室１９を形成するスプール室壁部分２１を備えている。
【００１５】
パトローネ室壁部分１７の上面の壁部分１７ａには告知音（例えば、ブザー音）を発生する圧電素子装置２３が、壁部分１７ａに形成された複数の孔１７ｂをカバーするように配設されている。複数の孔１７ｂは、圧電素子装置２３が発生する音をパトローネ室１５に導く役割を有している。圧電素子装置２３は不図示の圧電素子駆動回路に接続されて不図示のカメラ制御装置からの駆動指令によって駆動され、ブザー音を発生し撮影者に告知する。
【００１６】
ボディ本体３を覆う、上カバー５には、操作ダイアル２５が設けられ、カメラに各種の情報入力を行う。カメラ本体１の上部には、内蔵ストロボ２７が配置され、不図示の被写体の明るさが不足している際に補助光を発光して、被写体の明るさを確保する。カメラ本体１の前面部には、不図示の撮影レンズを装着するレンズマウント部２９が配置されている。レンズマウント部２９には、フォーカシングの際に撮影レンズを駆動するフォーカス駆動カップリング部３１と、撮影レンズの着脱の際に撮影レンズの有無を検出するレンズ着脱ピン３３が配置されている。
【００１７】
カメラ本体１の裏蓋１１側には、不図示の撮影レンズを介して不図示の被写体を観察する接眼枠３５が設けられている。撮影者がカメラ本体１を支持する際に用いるグリップ部３７の上部には設定ダイアル３９が配置され、撮影者がカメラ本体１の接眼枠３５で被写体を観察しながら各種の撮影条件の設定ができる。ボディ本体３と前カバー５、上カバー３との間には、電気配線などに使用されるカメラ本体内空間部４１が設けられている。このようにして、カメラ本体１が構成されている。
【００１８】
本第１実施の形態では、圧電素子装置２３が発生した音（例えば、ブザー音）は、カメラ本体内空間部４１で共鳴すると共に、複数の孔１７ｂを通過した音がパトローネ室１５の空間部とスプール室１９の空間部で共鳴することによって音量がアップし、撮影者にブザー音がより認知されやすくなる。複数の孔１７ｂは圧電素子装置２３でカバーされているので外部からの埃や迷光などが入ってくることを防止することができる。
【００１９】
なお、パトローネ室１５にパトローネ４３が装填されていても共鳴効果が減衰することはない。また、圧電素子装置２３は、パトローネ室１５側の壁部分１７ｃ（壁部分１７ａに対向する部分）に配置しても同様の効果を奏することができる。また、複数の孔１７ｂは、カメラ本体１内の壁部で、埃や迷光が入ってこないところであれば、圧電素子装置２３が配置される以外の位置に設けても良い。また、圧電素子装置２３を配設する場所は、パトローネ室１５の壁部分１７の上面部１７ａに限らず、側面部、底面部等の壁部分に配置しても同様の効果を奏する。
【００２０】
（第２実施の形態）
続いて、本発明の第２実施の形態にかかるカメラに関し図面に基づき説明する。本第２実施の形態と第１実施の形態の異なるところは、圧電素子装置２３の配置場所にあり、その他の構成は第１実施の形態と同様であり、同じ符号を付し説明を省略する。
【００２１】
図３において、ボディ本体３は、中央部にフィルムへの露光領域を規制する開口部１３と、開口部１３の両側にパトローネ室１５を形成するパトローネ室壁部分１７と、スプール室１９を形成するスプール室壁部分２１を備えている。
【００２２】
スプール室壁部分２１の側面の壁部分２１ａには告知音（例えば、ブザー音）を発生する圧電素子装置２３が、スプール室壁部分２１ａに形成された複数の孔２１ｂをカバーするように配設されている。複数の孔２１ｂは、圧電素子装置２３が発生する音をスプール室１０に導く役割を有している。その他の構成、及び作用は第１実施の形態と同様であり説明を省略する。
【００２３】
本第２実施の形態では、圧電素子装置２３が発生した音（例えば、ブザー音）は、カメラ本体内空間部４１（図１参照）で共鳴すると共に、複数の孔２１ｂを通過した音がスプール室１９の空間部とパトローネ室１５の空間部で共鳴することによって音量がアップし、撮影者にブザー音がより認知されやすくなる。また、複数の孔２１ｂは圧電素子装置２３でカバーされているので外部からの埃や迷光などが入ることを防止することができる。
【００２４】
なお、スプール室１９に不図示のフィルムが巻き込まれていても共鳴効果が減衰することはない。また、圧電素子装置２３は、スプール室１９側の壁部分（壁部分２１ａに対向する部分）に配置しても同様の効果を奏することができる。また、複数の孔２１ｂは、カメラ本体１内の壁部で、埃や迷光が入ってこないところであれば、圧電素子装置２３が配置される以外の位置に設けても良い。また、圧電素子装置２３を配設する場所は、スプール室壁部分２１の側面の壁部２１ａに限らず、上面部、底面部等の壁部分に配置しても同様の効果を奏する。
【００２５】
なお、圧電素子装置２３は、第１実施の形態と第２実施の形態の両方の配置を用いて、より音量をアップする構成とすることも可能である。
【００２６】
このように、本発明によれば、カメラ本体内の仕切壁（ボディ本体）に配置された圧電素子装置が発生する音を、カメラ本体内部の空間部分の共鳴効果と、パトローネ室またはスプール室の空間部分の共鳴効果とによって音量をアップすることが可能となり、撮影者に告知音をより良く認識させることができるカメラを提供することができる。
【００２７】
なお、フィルムカメラのみならず、デジタルカメラの記憶メディア装填スペース、電池装填スペース等の壁面に孔を開け圧電素子装置を配置することで同様の効果を奏することができる。
【００２８】
なお、上述の実施の形態は例に過ぎず、上述の構成や形状に限定されるものではなく、本発明の範囲内において適宜修正、変更が可能である。
【図面の簡単な説明】
【００２９】
【図１】本発明の第１実施の形態にかかるカメラ本体の部分断面図である。
【図２】第１実施の形態にかかるボディ本体図である。
【図３】本発明の第２実施の形態にかかるボディ本体図である。
【符号の説明】
【００３０】
１      カメラ本体
３      ボディ本体
５      上カバー
７      前カバー
９      底カバー
１１    裏蓋
１３    開口部
１５    パトローネ室
１７    パトローネ室壁部分
１９    スプール室
２１    スプール室壁部分
２３    圧電素子装置
２５    操作ダイアル
２７    内蔵ストロボ
２９    レンズマウント部
３１    フォーカシング駆動カップリング部
３３    レンズ着脱ピン
３５    接眼枠
３７    グリップ部
３９    設定ダイアル
４１    カメラ本体内空間部
４３    パトローネ
【図１】
2005227599.tif 000003
【図２】
2005227599.tif 000004
【図３】
2005227599.tif 000005